(57)【要約】【課題】熱湯を注いで喫食する即席のラーメンやスープや味噌汁などを収容するカップ容器３に装着する、美麗な印刷が難しい断熱性が優れた発泡スチロール製などのカップ容器３の、展示販売効果などを補うことができる、しかも簡単に外装紙カバー２を剥がして、この外装紙カバー２とカップ容器３とを分別して回収することができる、廃棄時の再資源化が容易なカップ容器の外装紙カバーを提供する。【解決手段】本発明は、断熱性が優れた発泡スチロール製などのカップ容器３の胴部外面側に、美麗な印刷をした紙材料製の外装紙カバー２の扇形状のブランクを巻付けて、左右の端部どうしを重ねて貼着して装着する、底面を開放したカップ状の外装紙カバー２であって、外装紙カバー２の左右の端部どうしを重ねて貼着する部分ａ ,ｂの、内面側の貼着する部分ｂの上部又は下部に、切欠きｃを設けたカップ容器の外装紙カバーである。【選択図】図１
2005186948.tif 000002
【特許請求の範囲】
【請求項１】
断熱性が優れた発泡スチロール製などのカップ容器３の胴部外面側に、美麗な印刷をした紙材料製の外装紙カバー２の扇形状のブランクを巻付けて、左右の端部どうしを重ねて貼着して装着する、底面を開放したカップ状の外装紙カバー２であって、外装紙カバー２の左右の端部どうしを重ねて貼着する部分ａ ,ｂの、内面側の貼着する部分ｂの上部又は下部に、切欠きｃを設けたことを特徴とするカップ容器の外装紙カバー。
【請求項２】
断熱性が優れた発泡スチロール製などのカップ容器３の胴部外面側に、美麗な印刷をした紙材料製の外装紙カバー２の扇形状のブランクを巻付けて、左右の端部どうしを重ねて貼着して装着する、底面を開放したカップ状の外装紙カバー２であって、外装紙カバー２の左右の端部どうしを重ねて貼着する部分ａ ,ｂの、外面側の貼着する部分ａの上部又は下部に、つまみｄを設けたことを特徴とするカップ容器の外装紙カバー。
【請求項３】
請求項１に記載のカップ容器の外装紙カバーにおいて、外装紙カバー２の左右の端部どうしを重ねて貼着する部分ａ ,ｂの、内面側の貼着する部分ｂの近傍に、切欠きｃに接続する縦の切れ目ｅを設けたことを特徴とするカップ容器の外装紙カバー。
【発明の詳細な説明】
【技術分野】
【０００１】
本発明は、熱湯を注いで喫食する即席のラーメンやスープや味噌汁などを収容する、断熱性が優れた発泡スチロール製などのカップ容器３に装着する、底面を開放したカップ状の外装紙カバー２であって、簡単に外装紙カバー２とカップ容器３とを分別して回収することができる、廃棄時の再資源化が容易なカップ容器の外装紙カバーに関する。
【背景技術】
【０００２】
従来から、例えば図５に示すような、熱湯を注いで喫食する即席のラーメンやスープや味噌汁などを収容する、断熱性が優れた発泡スチロール製などのカップ容器３の胴部外面側に、美麗な印刷をした紙材料製の外装紙カバー２の扇形状のブランクを巻付けて、左右の端部どうしを重ねて貼着して装着する、底面を開放したカップ状の外装紙カバー２が、一般に広く用いられている。
【０００３】
また従来から、熱湯を注いで喫食する即席のラーメンやスープや味噌汁などを収容する、外面側に多数の縦の凸筋部ｆ ,ｆ ,ｆ ,…を設けた、図６Ａに示す通常のポリプロピレン製などのカップ容器３１の胴部外面側に、扇形状のブランクの左右の端部どうしを重ねて貼着した、図６Ｂに示す美麗な印刷をした紙材料製の底面を開放したカップ状の外装紙カバー２１を装着して、この外装紙カバー２１とカップ容器３１との間に、断熱性を有する空気層を介在させたカップ容器３１( 特許文献１ )が、一般に広く用いられている。
【特許文献１】特開２０００−２１９２８０号公報
【発明の開示】
【発明が解決しようとする課題】
【０００４】
ところが従来の、図５に示す底面を開放したカップ状の外装紙カバー２については、紙材料製の外装紙カバー２の表面に、美麗な印刷をすることによって、美麗な印刷が難しい断熱性が優れた発泡スチロール製などのカップ容器３の、展示販売効果などを補うことができるものの、図５Ｂ ,Ｃに示すカップ容器３の胴部外面側に、図５Ａに示す外装紙カバー２の扇形状のブランクを巻付けて、左右の端部どうしを重ねて貼着して、要所を貼着するなどして装着するために、この外装紙カバー２とカップ容器３とを分別することが難しいものであって、熱湯を注いで即席のラーメンやスープや味噌汁などを喫食した後に、そのまま生ゴミなどとともに、焼却処分をせざるを得なかった。
【０００５】
また従来の、外装紙カバー２１とカップ容器３１との間に、断熱性を有する空気層を介在させたカップ容器３１については、同様に紙材料製の外装紙カバー２１の表面に、美麗な印刷をすることによって、美麗な印刷が難しい通常のポリプロピレン製などのカップ容器３１の、展示販売効果などを補うことができるものの、外面側に多数の縦の凸筋部ｆ ,ｆ ,ｆ ,…を設けた、図６Ａに示すカップ容器３１の胴部外面側に、扇形状のブランクの左右の端部どうしを重ねて貼着した、図６Ｂに示す底面を開放したカップ状の外装紙カバー２１を、要所を貼着するなどして装着するために、同様にこの外装紙カバー２１とカップ容器３１とを分別することが難しいものであって、熱湯を注いで即席のラーメンやスープや味噌汁などを喫食した後に、同様にそのまま生ゴミなどとともに、焼却処分をせざるを得なかった。
【０００６】
なお、前述した底面を開放したカップ状の外装紙カバー２１については、図６Ｂに示すように、つまみｈを有するジッパー線と通称する２列の縦の切れ目ｇ ,ｇを設けることによって、この外装紙カバー２１を切断することができるものの、図６Ａに示すカップ容器
３１の胴部外面側に、図６Ｂに示す底面を開放したカップ状の外装紙カバー２１を、要所を貼着するなどして装着するために、このつまみｈがつまみ難く２列の縦の切れ目ｇ ,ｇが切断し難いことが問題であって、結果的に、この外装紙カバー２１とカップ容器３１とを分別することなく、そのまま生ゴミなどとともに、焼却処分をすることが多かった。
【０００７】
そこで、本発明の目的は、熱湯を注いで喫食する即席のラーメンやスープや味噌汁などを収容する、断熱性が優れた発泡スチロール製などのカップ容器３に装着する、美麗な印刷が難しい断熱性が優れた発泡スチロール製などのカップ容器３の、展示販売効果などを補うことができる、底面を開放したカップ状の外装紙カバー２であって、最近の地球環境に係る廃棄物処理問題に関連して、簡単に外装紙カバー２を剥がして、この外装紙カバー２とカップ容器３とを分別して回収することができる、廃棄時の再資源化が容易なカップ容器の外装紙カバーを提供することにある。
【課題を解決するための手段】
【０００８】
本発明の請求項１に記載のカップ容器の外装紙カバーは、図１に示すように、断熱性が優れた発泡スチロール製などのカップ容器３の胴部外面側に、美麗な印刷をした紙材料製の外装紙カバー２の扇形状のブランクを巻付けて、左右の端部どうしを重ねて貼着して装着する、底面を開放したカップ状の外装紙カバー２であって、外装紙カバー２の左右の端部どうしを重ねて貼着する部分ａ ,ｂの、内面側の貼着する部分ｂの上部又は下部( 図１では下部 )に、切欠きｃを設けたことを特徴とするカップ容器の外装紙カバーである。
【０００９】
本発明の請求項１に記載のカップ容器の外装紙カバーにおいては、断熱性が優れた発泡スチロール製などの、図１Ｂ ,Ｃに示すカップ容器３の胴部外面側に、美麗な印刷をした紙材料製の、図１Ａに示す外装紙カバー２の扇形状のブランクを巻付けて、左右の端部どうしを重ねて貼着して、要所を貼着するなどして装着する、紙材料製の外装紙カバー２の表面に、美麗な印刷をすることによって、美麗な印刷が難しい断熱性が優れた発泡スチロール製などのカップ容器３の、展示販売効果などを補うことができる、前述した図５に示す外装紙カバー２と同様の、底面を開放したカップ状の外装紙カバー２であって、
外装紙カバー２の左右の端部どうしを重ねて貼着する部分ａ ,ｂの、内面側の貼着する部分ｂの上部又は下部に、切欠きｃを設けたことによって、図１Ｂに示すように、内面側の貼着する部分ｂの切欠きｃの位置の、外面側の貼着する部分ａの上部又は下部( 図１Ｂでは下部 )が、中空状に浮上がっているために、熱湯を注いで即席のラーメンやスープや味噌汁などを喫食した後に、この中空状に浮上がった外面側の貼着する部分ａの上部又は下部を、指でつまんで引張るだけで、簡単に外装紙カバー２の重ねて貼着する部分ａ ,ｂを剥がして、この外装紙カバー２とカップ容器３とを分別して回収することができる、廃棄時の再資源化が容易なカップ容器の外装紙カバーを得ることができる。
【００１０】
また、本発明の請求項２に記載のカップ容器の外装紙カバーは、図２に示すように、断熱性が優れた発泡スチロール製などのカップ容器３の胴部外面側に、美麗な印刷をした紙材料製の外装紙カバー２の扇形状のブランクを巻付けて、左右の端部どうしを重ねて貼着して装着する、底面を開放したカップ状の外装紙カバー２であって、外装紙カバー２の左右の端部どうしを重ねて貼着する部分ａ ,ｂの、外面側の貼着する部分ａの上部又は下部( 図２では下部 )に、つまみｄを設けたことを特徴とするカップ容器の外装紙カバーである。
【００１１】
本発明の請求項２に記載のカップ容器の外装紙カバーにおいては、断熱性が優れた発泡スチロール製などの、図２Ｂ ,Ｃに示すカップ容器３の胴部外面側に、前述したように要所を貼着するなどして装着する、紙材料製の外装紙カバー２の表面に、美麗な印刷をすることによって、美麗な印刷が難しい断熱性が優れた発泡スチロール製などのカップ容器３の、展示販売効果などを補うことができる、前述した図５ ,図１に示す外装紙カバー２と
同様の、底面を開放したカップ状の外装紙カバー２であって、
外装紙カバー２の左右の端部どうしを重ねて貼着する部分ａ ,ｂの、外面側の貼着する部分ａの上部又は下部に、つまみｄを設けたことによって、図２Ｂに示すように、外面側の貼着する部分ａのつまみｄが、中空状に突出しているために、熱湯を注いで即席のラーメンやスープや味噌汁などを喫食した後に、この中空状に突出した外面側の貼着する部分ａのつまみｄを、指でつまんで引張るだけで、簡単に外装紙カバー２の重ねて貼着する部分ａ ,ｂを剥がして、この外装紙カバー２とカップ容器３とを分別して回収することができる、廃棄時の再資源化が容易なカップ容器の外装紙カバーを得ることができる。
【００１２】
加えて、本発明の請求項３に記載のカップ容器の外装紙カバーは、前述した請求項１に記載のカップ容器の外装紙カバーにおいて、図３に示すように、外装紙カバー２の左右の端部どうしを重ねて貼着する部分ａ ,ｂの、内面側の貼着する部分ｂの近傍に、切欠きｃに接続する縦の切れ目ｅを設けたことを特徴とするカップ容器の外装紙カバーである。
【００１３】
本発明の請求項３に記載のカップ容器の外装紙カバーにおいては、外装紙カバー２の左右の端部どうしを重ねて貼着する部分ａ ,ｂの、内面側の貼着する部分ｂの上部又は下部に、切欠きｃを設けたことを特徴とする、前述した図１に示すカップ容器の外装紙カバーに加えて、内面側の貼着する部分ｂの近傍に、この切欠きｃに接続する縦の切れ目ｅを設けたことによって、図３Ｂに示すように、内面側の貼着する部分ｂの切欠きｃの位置の、外面側の貼着する部分ａの上部又は下部( 図３Ｂでは下部 )が、図１Ｂと同様に中空状に浮上がっているために、熱湯を注いで即席のラーメンやスープや味噌汁などを喫食した後に、この中空状に浮上がった外面側の貼着する部分ａの上部又は下部を、同様に指でつまんで引張るだけで、外装紙カバー２の重ねて貼着する部分ａ ,ｂを剥がし難い時に、簡単に切欠きｃに接続する縦の切れ目ｅを切断して外装紙カバー２を剥がして、この外装紙カバー２とカップ容器３とを分別して回収することができる、廃棄時の再資源化が容易なカップ容器の外装紙カバーを得ることができる。
【発明の効果】
【００１４】
以上、本発明のカップ容器の外装紙カバーにおいては、断熱性が優れた発泡スチロール製などのカップ容器３の胴部外面側に、美麗な印刷をした紙材料製の外装紙カバー２の扇形状のブランクを巻付けて、左右の端部どうしを重ねて貼着して、要所を貼着するなどして装着する、紙材料製の外装紙カバー２の表面に、美麗な印刷をすることによって、美麗な印刷が難しい断熱性が優れた発泡スチロール製などのカップ容器３の、展示販売効果などを補うことができる、底面を開放したカップ状の外装紙カバー２であって、熱湯を注いで即席のラーメンやスープや味噌汁などを喫食した後に、簡単に外装紙カバー２の重ねて貼着する部分ａ ,ｂを剥がして、また簡単に切欠きｃに接続する縦の切れ目ｅを切断して外装紙カバー２を剥がして、それぞれの外装紙カバー２とカップ容器３とを分別して回収することができる、廃棄時の再資源化が容易なカップ容器の外装紙カバーを提供することができる。
【発明を実施するための最良の形態】
【００１５】
本発明のカップ容器の外装紙カバーにおける、美麗な印刷をした紙材料製の外装紙カバー２については、後述する実施例に示すように、美麗な印刷の効果が優れた上質紙や片面アート紙やマットコート紙などの、６４〜１５７ｇ／ｍ2 程度の適宜の紙材料を用いて、通常の打抜型を用いた打抜工程で、無駄が少ない外装紙カバー２の扇形状のブランクを作製した後に、簡単なカップ装着工程で、断熱性が優れた発泡スチロール製などのカップ容器３の胴部外面側に巻付けて、左右の端部どうしを重ねて機械的に貼着して、同時に要所を部分的に貼着して装着することができる。
【実施例１】
【００１６】
図１Ａは、本発明の実施例１のカップ容器の外装紙カバーにおける、外装紙カバー２の扇形状のブランクの平面図であって、図１Ｂ ,Ｃは、カップ容器３に装着した外装紙カバー２の斜視図 ,断面説明図である。
【００１７】
すなわち、８ｍｍ幅の左右の端部どうしを重ねて貼着する部分ａ ,ｂの、内面側の貼着する部分ｂの下部に、８×１０ｍｍの切欠きｃを設けた、図１Ａに示す外装紙カバー２の扇形状のブランクであって、表面に美麗な印刷をした１２８ｇ／ｍ2 の片面アート紙を用いて、通常の打抜型を用いた打抜工程で、無駄が少ない外装紙カバー２の扇形状のブランクを作製した。
【００１８】
次に、簡単なカップ装着工程で、比較的接着力が弱い接着剤を用いて、一般に広く市販されている深さが９８ｍｍで口径が８２ｍｍ( 底径が６５ｍｍ )の、断熱性が優れた発泡スチロール製のカップ容器３の胴部外面側に、図１Ａに示す外装紙カバー２の扇形状のブランクを巻付けて、左右の端部どうしを重ねて機械的に貼着して、同時に要所を部分的に貼着して装着した、図１Ｂ ,Ｃに示す底面を開放したカップ状の、このカップ容器３と同形の外装紙カバー２を作製した。
【００１９】
本発明の実施例１のカップ容器の外装紙カバーにおいては、１２８ｇ／ｍ2 の片面アート紙の外装紙カバー２の表面に、美麗な印刷をしたことによって、美麗な印刷が難しい断熱性が優れた発泡スチロール製のカップ容器３の、展示販売効果などを補うことができる、底面を開放したカップ状の外装紙カバー２であって、図１Ｂに示すように、内面側の貼着する部分ｂの８×１０ｍｍの切欠きｃの位置の、８ｍｍ幅の外面側の貼着する部分ａの下部が、中空状に浮上がっているために、熱湯を注いで即席のラーメンやスープや味噌汁などを喫食した後に、この中空状に浮上がった外面側の貼着する部分ａの下部を、指でつまんで引張るだけで、簡単に外装紙カバー２の重ねて貼着する部分ａ ,ｂを剥がして、この外装紙カバー２とカップ容器３とを分別して回収することができる、廃棄時の再資源化が容易なカップ容器の外装紙カバーを得ることができた。
【実施例２】
【００２０】
図２Ａは、本発明の実施例２のカップ容器の外装紙カバーにおける、外装紙カバー２の扇形状のブランクの平面図であって、図２Ｂ ,Ｃは、カップ容器３に装着した外装紙カバー２の斜視図 ,断面説明図である。
【００２１】
すなわち、８ｍｍ幅の左右の端部どうしを重ねて貼着する部分ａ ,ｂの、外面側の貼着する部分ａの下部の左方に、半円状のつまみｄを設けた、図２Ａに示す外装紙カバー２の扇形状のブランクであって、実施例１と同一の表面に美麗な印刷をした１２８ｇ／ｍ2 の片面アート紙を用いて、通常の打抜型を用いた打抜工程で、無駄が少ない外装紙カバー２の扇形状のブランクを作製した。
【００２２】
次に、簡単なカップ装着工程で、比較的接着力が弱い接着剤を用いて、実施例１と同様に、一般に広く市販されている深さが９８ｍｍで口径が８２ｍｍ( 底径が６５ｍｍ )の、断熱性が優れた発泡スチロール製のカップ容器３の胴部外面側に、図２Ａに示す外装紙カバー２の扇形状のブランクを巻付けて、左右の端部どうしを重ねて機械的に貼着して、同時に要所を部分的に貼着して装着した、図２Ｂ ,Ｃに示す底面を開放したカップ状の、このカップ容器３と同形の外装紙カバー２を作製した。
【００２３】
本発明の実施例２のカップ容器の外装紙カバーにおいては、１２８ｇ／ｍ2 の片面アート紙の外装紙カバー２の表面に、美麗な印刷をしたことによって、美麗な印刷が難しい断熱性が優れた発泡スチロール製のカップ容器３の、展示販売効果などを補うことができる、実施例１と同様の底面を開放したカップ状の外装紙カバー２であって、図２Ｂに示すよ
うに、８ｍｍ幅の外面側の貼着する部分ａの半円状のつまみｄが、中空状に突出しているために、熱湯を注いで即席のラーメンやスープや味噌汁などを喫食した後に、この中空状に突出した外面側の貼着する部分ａのつまみｄを、指でつまんで引張るだけで、実施例１と同様に、簡単に外装紙カバー２の重ねて貼着する部分ａ ,ｂを剥がして、この外装紙カバー２とカップ容器３とを分別して回収することができる、廃棄時の再資源化が容易なカップ容器の外装紙カバーを得ることができた。
【実施例３】
【００２４】
図３Ａは、本発明の実施例３のカップ容器の外装紙カバーにおける、外装紙カバー２の扇形状のブランクの平面図であって、図３Ｂ ,Ｃは、カップ容器３に装着した外装紙カバー２の斜視図 ,断面説明図である。
【００２５】
すなわち、８ｍｍ幅の左右の端部どうしを重ねて貼着する部分ａ ,ｂの、内面側の貼着する部分ｂの下部に、８×１０ｍｍの切欠きｃを設けて、内面側の貼着する部分ｂの２ｍｍの近傍に、この切欠きｃの角隅に接続するミシン目状の縦の切れ目ｅを設けた、図３Ａに示す外装紙カバー２の扇形状のブランクであって、表面に美麗な印刷をした１０５ｇ／ｍ2 のマットコート紙を用いて、通常の打抜型を用いた打抜工程で、無駄が少ない外装紙カバー２の扇形状のブランクを作製した。
【００２６】
次に、簡単なカップ装着工程で、通常の接着剤を用いて、実施例１ ,実施例２と同様に、一般に広く市販されている深さが９８ｍｍで口径が８２ｍｍ( 底径が６５ｍｍ )の、断熱性が優れた発泡スチロール製のカップ容器３の胴部外面側に、図３Ａに示す外装紙カバー２の扇形状のブランクを巻付けて、左右の端部どうしを重ねて機械的に貼着して、同時に要所を部分的に貼着して装着した、図３Ｂ ,Ｃに示す底面を開放したカップ状の、このカップ容器３と同形の外装紙カバー２を作製した。
【００２７】
本発明の実施例３のカップ容器の外装紙カバーにおいては、１０５ｇ／ｍ2 のマットコート紙の外装紙カバー２の表面に、美麗な印刷をしたことによって、美麗な印刷が難しい断熱性が優れた発泡スチロール製のカップ容器３の、展示販売効果などを補うことができる、実施例１ ,実施例２と同様の底面を開放したカップ状の外装紙カバー２であって、図３Ｂに示すように、内面側の貼着する部分ｂの８×１０ｍｍの切欠きｃの位置の、８ｍｍ幅の外面側の貼着する部分ａの下部が、中空状に浮上がっているために、熱湯を注いで即席のラーメンやスープや味噌汁などを喫食した後に、この中空状に浮上がった外面側の貼着する部分ａの下部を、指でつまんで引張るだけで、簡単に切欠きｃの角隅に接続するミシン目状の縦の切れ目ｅを切断して外装紙カバー２を剥がして、この外装紙カバー２とカップ容器３とを分別して回収することができる、廃棄時の再資源化が容易なカップ容器の外装紙カバーを得ることができた。
【実施例４】
【００２８】
図４Ａは、本発明の実施例４のカップ容器の外装紙カバーにおける、外装紙カバー２の扇形状のブランクの平面図であって、図４Ｂ ,Ｃは、カップ容器３に装着した外装紙カバー２の斜視図 ,断面説明図である。
【００２９】
すなわち、８ｍｍ幅の左右の端部どうしを重ねて貼着する部分ａ ,ｂの、外面側の貼着する部分ａの下部の下方に、半円状のつまみｄを設けて、外面側の貼着する部分ａの２ｍｍの近傍に、このつまみｄの右端に接続するミシン目状の縦の切れ目ｅを設けた、図４Ａに示す外装紙カバー２の扇形状のブランクであって、実施例３と同一の表面に美麗な印刷をした１０５ｇ／ｍ2 のマットコート紙を用いて、通常の打抜型を用いた打抜工程で、無駄が少ない外装紙カバー２の扇形状のブランクを作製した。
【００３０】
次に、簡単なカップ装着工程で、通常の接着剤を用いて、実施例１ ,実施例２ ,実施例３と同様に、一般に広く市販されている深さが９８ｍｍで口径が８２ｍｍ( 底径が６５ｍｍ )の、断熱性が優れた発泡スチロール製のカップ容器３の胴部外面側に、図４Ａに示す外装紙カバー２の扇形状のブランクを巻付けて、左右の端部どうしを重ねて機械的に貼着して、同時に要所を部分的に貼着して装着した、図４Ｂ ,Ｃに示す底面を開放したカップ状の、このカップ容器３と同形の外装紙カバー２を作製した。
【００３１】
本発明の実施例４のカップ容器の外装紙カバーにおいては、１０５ｇ／ｍ2 のマットコート紙の外装紙カバー２の表面に、美麗な印刷をしたことによって、美麗な印刷が難しい断熱性が優れた発泡スチロール製のカップ容器３の、展示販売効果などを補うことができる、実施例１ ,実施例２ ,実施例３と同様の底面を開放したカップ状の外装紙カバー２であって、図４Ｂに示すように、８ｍｍ幅の外面側の貼着する部分ａの半円状のつまみｄが、中空状に突出しているために、熱湯を注いで即席のラーメンやスープや味噌汁などを喫食した後に、この中空状に突出した外面側の貼着する部分ａのつまみｄを、指でつまんで引張るだけで、簡単につまみｄの右端に接続するミシン目状の縦の切れ目ｅを切断して外装紙カバー２を剥がして、この外装紙カバー２とカップ容器３とを分別して回収することができる、廃棄時の再資源化が容易なカップ容器の外装紙カバーを得ることができた。
【産業上の利用可能性】
【００３２】
本発明の、紙材料製の外装紙カバー２の表面に、美麗な印刷をすることによって、美麗な印刷が難しい断熱性が優れた発泡スチロール製などのカップ容器３の、展示販売効果などを補うことができる、底面を開放したカップ状の外装紙カバー２であって、簡単に外装紙カバー２の重ねて貼着する部分ａ ,ｂを剥がして、また簡単に切欠きｃ( 又はつまみｄ
)に接続する縦の切れ目ｅを切断して外装紙カバー２を剥がして、それぞれの外装紙カバー２とカップ容器３とを分別して回収することができる、廃棄時の再資源化が容易なカップ容器の外装紙カバーについては、
前述した従来の、熱湯を注いで喫食する即席のラーメンやスープや味噌汁などを収容する、外面側に多数の縦の凸筋部ｆ ,ｆ ,ｆ ,…を設けた、図６Ａに示す通常のポリプロピレン製などのカップ容器３１の胴部外面側に、図１Ａ ,図２Ａ ,図３Ａ ,図４Ａに示す外装紙カバー２の扇形状のブランクを巻付けて、左右の端部どうしを重ねて貼着して、要所を貼着するなどして装着して、この外装紙カバー２とカップ容器３１との間に、断熱性を有する空気層を介在させて、そのまま利用することができる。
【図面の簡単な説明】
【００３３】
【図１】本発明の実施例１のカップ容器の外装紙カバーにおける、図１Ａは、外装紙カバー２の扇形状のブランクの平面図であって、図１Ｂ ,Ｃは、カップ容器３に装着した外装紙カバー２の斜視図 ,断面説明図である。
【図２】本発明の実施例２のカップ容器の外装紙カバーにおける、図２Ａは、外装紙カバー２の扇形状のブランクの平面図であって、図２Ｂ ,Ｃは、カップ容器３に装着した外装紙カバー２の斜視図 ,断面説明図である。
【図３】本発明の実施例３のカップ容器の外装紙カバーにおける、図３Ａは、外装紙カバー２の扇形状のブランクの平面図であって、図３Ｂ ,Ｃは、カップ容器３に装着した外装紙カバー２の斜視図 ,断面説明図である。
【図４】本発明の実施例４のカップ容器の外装紙カバーにおける、図４Ａは、外装紙カバー２の扇形状のブランクの平面図であって、図４Ｂ ,Ｃは、カップ容器３に装着した外装紙カバー２の斜視図 ,断面説明図である。
【図５】図５Ａは、従来の外装紙カバー２の扇形状のブランクの平面図であって、図５Ｂ ,Ｃは、従来のカップ容器３に装着した外装紙カバー２の斜視図 ,断面説明図である。
【図６】図６Ａは、従来のカップ容器３１の斜視図であって、図６Ｂは、従来の外装紙カバー２１の斜視図である。
【符号の説明】
【００３４】
２ ,２１  …外装紙カバー
３ ,３１  …カップ容器
ａ ,ｂ    …貼着する部分
ｃ        …切欠き
ｄ ,ｈ    …つまみ
ｅ ,ｇ    …縦の切れ目
ｆ        …縦の凸筋部
【図１】
2005186948.tif 000003
【図２】
2005186948.tif 000004
【図３】
2005186948.tif 000005
【図４】
2005186948.tif 000006
【図５】
2005186948.tif 000007
【図６】
2005186948.tif 000008